(57)【要約】  キャップを組み立てた状態では、さらに小さな力でも、広い断面積のろ過手段を通じて薬液がろ過されて吸引され、キャップを分離した状態で、一方向弁手段が自然に閉鎖されて薬液が注射されることにより、ユーザの使い勝手及び注射器の商品性を極大化させること。針１１及びハブ１２からなる注射針１０と、前記注射針１０が結合するシリンダー２０とを備え、前記ハブ１２には、内壁面１２ａ及び外壁面１２ｂと底面１２ｃを有する環状空間１２ｄが形成され、前記底面１２ｃには、前記シリンダー２０に連通する通孔１２ｅが形成され、円筒部３６０と羽根部３７０を有する弾性材質の一方向弁手段３００が前記内壁面１２ａに設けられ、前記羽根部３７０の端部は、前記外壁面１２ｂに弾性的に接触し、前記一方向弁手段３００と前記通孔１２ｅとの間の環状空間１２ｄ内にろ過手段２００が設けられ、先端を有する中空体であって、前記ハブ１２の外周面に気密を維持して結合し、前記針１１を取り囲む開閉手段４００が内部に設けられたキャップが、さらに構成されることを特徴とする。
2019509134.tif 000002
【特許請求の範囲】
【請求項１】
針及びハブからなる注射針と、前記注射針が結合するシリンダーとを備え、
前記ハブは、内壁面及び外壁面と底面を有する環状空間が形成され、前記底面は、前記シリンダーに連通する通孔が形成され、
円筒部と羽根部を有する弾性材質の一方向弁手段が前記内壁面に設けられ、前記羽根部の端部は、前記外壁面に弾性的に接触し、
前記一方向弁手段と前記通孔との間の環状空間内にろ過手段が設けられ、
先端を有する中空体であって、前記ハブの外周面に気密を維持して結合し、前記注射針の針を取り囲む開閉手段が内部に設けられたキャップが、さらに構成されることを特徴とするフィルター注射器。
【請求項２】
前記一方向弁手段は、前記キャップの内周面に対応する突部が形成され、前記羽根部の変形を図ることを特徴とする請求項１に記載のフィルター注射器。
【請求項３】
前記キャップの内周面は、前記一方向弁手段に対応する突起が形成され、前記羽根部の変形を図ることを特徴とする請求項１に記載のフィルター注射器。
【発明の詳細な説明】
【技術分野】
【０００１】
本発明は、フィルター注射器に関し、特に、アンプルのガラス片等の異物をろ過させるろ過手段が設けられた注射器の構造を改良して、キャップが分離されたか否かにより、一方向弁手段の開閉が制御される一方、ろ過手段の断面積を広く設計することができ、薬液をさらに小さな力でスムーズに吸引可能にするための装置であって、キャップを組み立てた状態では、さらに小さな力でも、広い断面積のろ過手段を通じて薬液がろ過されて吸引され、キャップを分離した状態で、一方向弁手段が自然に閉鎖されて薬液が注射されることにより、ユーザの使い勝手及び注射器の商品性を極大化させることができる装置に関する。
【背景技術】
【０００２】
一般に、注射器は、動植物の体内に薬液を注射する器具であり、鋭い先端で皮膚を刺し、任意の組職内に薬液を注射するようになっている。
【０００３】
図１は、一般の注射器を示す分解斜視図であり、このような注射器は、図１に示すように、注射針１０が結合され、注射液が収容されるシリンダー２０と、前記シリンダー２０内において前進及び後退可能に設けられるプランジャー３０と、で構成される。
【０００４】
このタイプの注射器は、プランジャー３０の後退により、シリンダー２０内に負圧が発生しながら注射液が充填され、プランジャー３０の前進により正圧となり、シリンダー２０内の薬液が注射針１０から排出されながら患者の体内に注射液の注射が行われるものである。
【０００５】
しかしながら、このタイプの注射器の使用時は、注射液そのものに混入されていた異物や、または注射液が貯蔵されたアンプルを折って開封する過程で、注射液内に飛散され混入されたガラス片のような異物が、注射液と一緒に患者の体内に注射される恐れがあった。
【０００６】
このような問題点を解決するために、注射液に含まれた異物をろ過するためのフィルターを備えたフィルター注射器が開発されている。
【０００７】
先ず、特許文献１に開示されているように、異物のろ過のためのフィルターが注射針またはシリンダー内に設けられた従来のフィルター注射器は、シリンダーの内部に吸引される注射液に対して異物をろ過する機能を行うことになる。
【０００８】
しかしながら、注射液の吸引時は、アンプルの内部に入った注射針の外表面に異物が付着し、あるいは注射針の内部に残存した注射液は、異物がろ過されていない状態であるので、異物が注射液と一緒に患者の体内に注射されることを根本的に防止することはできなかった。
【０００９】
これに対して、特許文献２には、異物のろ過のためのフィルターが、注射針を覆うキャップの内部に設けられた例が開示されている。
【００１０】
図２は、従来のフィルターキャップ注射器を示す分解斜視図であり、図３は、従来のフィルターキャップ注射器を示す要部断面図であって、特許文献２に開示された従来のフィルターキャップ注射器が、図２及び図３に示されている。
【００１１】
従来のフィルターキャップ注射器は、図３に示すように、キャップ４０の内部にフィルター４１が設けられており、注射液の吸引時、異物がフィルター４１でろ過され、注射時には、フィルター４１を有するキャップ４０を注射針１０から分離させるので、異物が注射される恐れがなかった。
【００１２】
しかしながら、このような従来のフィルターキャップ注射器は、フィルターキャップの直径が、バイアルの入口の直径よりも小さくなければならないだけでなく、フィルターキャップの直径が大きいと、強度の高い先端を形成し難いので、ろ過手段の面積を広げるのに限界があった。
【００１３】
これとともに、注射液がキャップ４０に設けられたフィルター４１を通過した後、微細な注射針１０からのみシリンダー２０の内部に吸引されるので、注射液を吸引するのに比較的大きな力が要求され、使用が極めて不便であるという従来技術の問題点があった。
【先行技術文献】
【特許文献】
【００１４】
【特許文献１】韓国公開特許第２０１２−８７５８７号公報
【特許文献２】米国登録特許第４１８００７１号公報
【発明の概要】
【発明が解決しようとする課題】
【００１５】
本発明は、前記問題点に鑑みなされたものであり、キャップを組み立てた状態では、さらに小さな力でも、広い断面積のろ過手段を通じて薬液がろ過されて吸引され、キャップを分離した状態で、一方向弁手段が自然に閉鎖されて薬液が注射されることにより、ユーザの使い勝手及び注射器の商品性を極大化させることができるフィルター注射器を提供することにある。
【課題を解決するための手段】
【００１６】
前記目的を達成するために、本発明は、針及びハブからなる注射針と、前記注射針が結合するシリンダーとを備え、前記ハブは、内壁面及び外壁面と底面を有する環状空間が形成され、前記底面は、前記シリンダーに連通する通孔が形成され、円筒部と羽根部を有する弾性材質の一方向弁手段が前記内壁面に設けられ、前記羽根部の端部は、前記外壁面に弾性的に接触し、前記一方向弁手段と前記通孔との間の環状空間内にろ過手段が設けられ、先端を有する中空体であって、前記ハブの外周面に気密を維持して結合し、前記針を取り囲む開閉手段が内部に設けられたキャップが、さらに構成されることにより達成される。
【００１７】
このとき、前記一方向弁手段には、前記キャップの内周面に対応する突部が形成され、前記羽根部の変形を図ることが好ましい。
【００１８】
これに対して、前記キャップの内周面には、前記一方向弁手段に対応する突起が形成され、前記羽根部の変形を図ることもできる。
【発明の効果】
【００１９】
本発明によれば、キャップを組み立てた状態では、さらに小さな力でも、広い断面積のろ過手段を通じて薬液がろ過されて吸引され、キャップを分離した状態で、一方向弁手段が自然に閉鎖されて薬液が注射されることにより、ユーザの使い勝手及び注射器の商品性を極大化させることができる。
【図面の簡単な説明】
【００２０】
【図１】一般の注射器を示す分解斜視図である。
【図２】従来のフィルターキャップ注射器を示す分解斜視図である。
【図３】従来のフィルターキャップ注射器を示す要部断面図である。
【図４】本発明に係るフィルター注射器を示す斜視図である。
【図５】本発明に係るフィルター注射器における、キャップの分離時を示す分解斜視図である。
【図６】本発明に係るフィルター注射器における、一方向弁手段及びろ過手段の分離時を示す分解斜視図である。
【図７】本発明に係るフィルター注射器を示す断面図である。
【図８】本発明に係るフィルター注射器における、薬液の吸引時を示す断面図である。
【図９】本発明に係るフィルター注射器における、薬液の注射時を示す断面図である。
【図１０】本発明に係るフィルター注射器における、他の例の一方向弁手段を示す断面図である。
【図１１】本発明に係るフィルター注射器における、他の例のキャップを示す断面図である。
【発明を実施するための形態】
【００２１】
図４は、本発明に係るフィルター注射器を示す斜視図であり、図５は、本発明に係るフィルター注射器における、キャップの分離時を示す分解斜視図であり、図６は、本発明に係るフィルター注射器における、一方向弁手段及びろ過手段の分離時を示す分解斜視図である。
【００２２】
また、図７は、本発明に係るフィルター注射器を示す断面図であり、図８は、本発明に係るフィルター注射器における、薬液の吸引時を示す断面図であり、図９は、本発明に係るフィルター注射器における、薬液の注射時を示す断面図である。
【００２３】
図１０は、本発明に係るフィルター注射器における、他の例の一方向弁手段を示す断面図であり、図１１は、本発明に係るフィルター注射器における、他の例のキャップを示す断面図である。
【００２４】
本発明に係るフィルター注射器は、図４乃至図１１に示すように、アンプルのガラス片等の異物をろ過させるろ過手段が設けられた注射器の構造を改良して、キャップ１００が分離されたか否かにより、一方向弁手段３００の開閉が制御される一方、ろ過手段２００の断面積を広く設計することができ、薬液をさらに小さな力でスムーズに吸引可能にすることにより、キャップ１００を組み立てた状態では、さらに小さな力でも、広い断面積のろ過手段２００を通じて薬液がろ過されて吸引され、キャップ１００を分離した状態で、一方向弁手段３００が自然に閉鎖されて注射針１０で薬液が注射されることにより、ユーザの使い勝手及び注射器の商品性を極大化させることができる装置に関する。
【００２５】
以下、添付図面を参照して、本発明の実施例について説明する。
【００２６】
本発明のフィルター注射器は、図４乃至図７に示すように、針１１及びハブ１２からなる注射針１０と、前記注射針１０が結合するシリンダー２０とを備える注射器において、前記ハブ１２には、内壁面１２ａ及び外壁面１２ｂと底面１２ｃを有する環状空間１２ｄが形成され、前記底面１２ｃには、前記シリンダー２０に連通する通孔１２ｅが形成され、円筒部３６０と羽根部３７０を有する弾性材質の一方向弁手段３００が前記内壁面１２ａに設けられ、前記羽根部３７０の端部は、前記外壁面１２ｂに弾性的に接触し、前記一方向弁手段３００と前記通孔１２ｅとの間の環状空間１２ｄ内にろ過手段２００が設けられ、先端を有する中空体からなり、前記ハブ１２の外周面に気密を維持して結合し、前記針１１を取り囲む開閉手段４００が内部に設けられたキャップ１００がさらに構成されることが好ましい。
【００２７】
従来の注射器では、薬液をシリンダー２０に吸引するための薬液の吸引流路は、薬液を注射針１０で注射するための薬液の注射流路と同じであった。
【００２８】
しかしながら、本発明のフィルター注射器は、注射針１０、シリンダー２０、及びプランジャーを備える周知の注射器において、薬液容器からシリンダー２０に至る吸引流路と、シリンダー２０から注射針１０に至る注射流路とが形成されるが、前記吸引流路には、ろ過手段２００及び一方向弁手段３００が設けられ、前記注射流路には、着脱式の開閉手段４００が設けられ、前記吸引流路において、薬液容器からろ過手段２００までの流路は、前記注射針１０の外周面及び前記注射流路とは独立して形成されることが好ましい。
【００２９】
このように、吸引流路において、薬液容器からろ過手段２００までの流路は、例えば、ガラス製アンプルのような薬液容器の開封時、ガラス片等の異物が含まれた薬液が残存する可能性がある区間であり、このように異物が残存可能な区間を、注射流路はもとより、注射針１０の外周面とも独立して形成することにより、ガラス片のような異物が体内に注射されることを根本的に予防することができる。
【００３０】
すなわち、本発明において薬液の吸引時は、図８に示すように、吸引流路の一方向弁手段３００が開放され、ろ過手段２００において異物がろ過された薬液が、注射器のシリンダー２０の内部に吸引され、その間、開閉手段４００が注射流路を閉鎖する。
【００３１】
これに対して、薬液の注射時は、図９に示すように、一方向弁手段３００により、吸引流路が閉鎖されるのに対して、開閉手段４００の除去により注射流路が開放される。
【００３２】
このとき、前記一方向弁手段３００は、実施形態によって、シリンダー２０とプランジャー３０の相互作用によって形成される圧力の作用方向により自然に開閉が調節されてもよく、あるいは、単にキャップ１００が分離されたか否かにより開閉が調節されてもよい。
【００３３】
本発明において、注射針１０の一部をなすハブ１２には、図７に示すように、内壁面１２ａ及び外壁面１２ｂと底面１２ｃを有する環状空間１２ｄが形成されている。
【００３４】
このような環状空間１２ｄは、略Ｕ字状の断面を、針１１を中心として３６０°回転させて形成される空き空間であって、針１１を取り囲む外周面が内壁面１２ａに該当し、ハブ１２の内周面が外壁面１２ｂをなし、前記内壁面１２ａと前記外壁面１２ｂを連結する水平面が底面１２ｃをなす。
【００３５】
このとき、前記底面１２ｃには通孔１２ｅが形成されており、この通孔１２ｅを通過した薬液はシリンダー２０に送り出される。
【００３６】
特に、このような前記環状空間１２ｄ内には、一方向弁手段３００及びろ過手段２００が位置するようになる。
【００３７】
前記一方向弁手段３００は、シリンダー２０に作用する圧力の作用方向により自然に開閉されるものであって、例えば、シリコンのように柔らかな弾性材質からなり、図６及び図７に示すように、円筒部３６０及び羽根部３７０からなっている。
【００３８】
ここで、前記円筒部３６０は、一方向弁手段３００を固定させるための構成であって、前記注射針１０のハブ１２を取り囲んで結合され、このとき、前記ハブ１２には、このような一方向弁手段３００が分離されないように係止突部を形成することが好ましい。
【００３９】
また、前記羽根部３７０の下方の傾斜した端部は、前記外壁面１２ｂに弾性的に接触することになる。
【００４０】
その結果、薬液の吸引時、前記羽根部３７０の端部が、図８に示すように、図面上において下方に変形しながら、一方向弁手段３００が開放され、薬液の注射時、前記羽根部３７０の端部が、図９に示すように、環状空間１２ｄの外壁面１２ｂに当接し、一方向弁手段３００が閉鎖されることである。
【００４１】
また、前記一方向弁手段３００と前記通孔１２ｅとの間の環状空間１２ｄ内には、微細なガラス片等の異物をろ過可能な周知のろ過手段２００が設けられている。
【００４２】
これにより、薬液の吸引時、前記一方向弁手段３００を通過した薬液は、ろ過手段２００により異物がろ過された後、環状空間１２ｄの通孔１２ｅを経てシリンダーに流入することである。
【００４３】
このとき、キャップ１００は、薬液容器から薬液を吸引するためのものであって、吸引針１１０及びキャップハブ１２０で構成され、前記吸引針１１０の先端は、バイアル等を突き通すように傾斜して形成され、金属材または合成樹脂材からなり、高い剛性を有する。
【００４４】
また、キャップハブ１２０は、このような吸引針１１０を支持するように一体で形成されたものであって、キャップハブ１２０の内周面は、注射針１０の針１１を支持するハブ１２の外周面と結合して気密を維持する。
【００４５】
このとき、前記針１１を取り囲む開閉手段４００が、図５及び図７に示すように、前記キャップ１００の内部に設けられる。
【００４６】
このような開閉手段４００は、基本的に針１１を開閉させる機能と一緒に、汚染された薬液から針１１の外部が汚染することも防ぐことになる。
【００４７】
すなわち、前記注射針１０の針１１は、薬液の吸引時、開閉手段４００によって閉鎖されていたが、薬液の注射時は、前記開閉手段４００を分離させ、針１１を開放させることである。
【００４８】
特に、本発明において、前記開閉手段４００が、図５に示すように、気密空間４１０及びフランジ４２０を含んで構成することができる。
【００４９】
これにより、前記開閉手段４００は、前記フランジ４２０を介して、前記キャップ１００のキャップハブ１２０の内周面に固定され、前記キャップ１００と一体で前記開閉手段４００が一緒に分離されることになる。
【００５０】
特に、本発明では、前記注射針１０の針１１とハブ１２を互い固定させる接着材料１３は、注射針１０を取り囲んで気密を維持する開閉手段４００の気密空間４１０内に収容され、薬液から隔離されることが好ましい。
【００５１】
これを通じて、接着材料１３が薬液と接触して、接着材料１３の接着力を低下させ、または接着材料１３によって薬液の成分が変質することが防がれる。
【００５２】
このような構成により、薬液の吸引流路は、キャップ１００と開閉手段４００との間の空間→一方向弁手段３００→ろ過手段２００→通孔１２ｅ→シリンダー２０からなり、薬液の注射流路は、シリンダー２０→注射針１０からなる。
【００５３】
上述した本発明に係るフィルター注射器は、一方向弁手段３００の開閉がシリンダー２０に作用する圧力の方向によるものであり、前記シリンダー２０に負圧が作用すると、図８に示すように、一方向弁手段３００の羽根部３７０が外壁面１２ｂから離隔されることにより、キャップ１００と開閉手段４００との間に流入した薬液は、開放された一方向弁手段３００とろ過手段２００を経て通孔１２ｅからシリンダー２０に流入することである。
【００５４】
これに対して、キャップ１００と開閉手段４００が分離された状態で、前記シリンダー２０に正圧が作用すると、図９に示すように、一方向弁手段３００の羽根部３７０が外壁面１２ｂに接触することにより、シリンダー２０内の薬液は、閉鎖された一方向弁手段３００を通過せず、注射針１０から薬液が注射されることである。
【００５５】
以上、単にシリンダー２０内に作用する圧力の方向により、前記一方向弁手段３００が開閉されるものと説明しているが、これに加えて、副次的にキャップ１００が組み立てられたか否かにより、前記一方向弁手段３００の開放を助ける構造としてもよい。
【００５６】
これは、図１０に示すように、前記一方向弁手段３００には、前記キャップ１００の内周面に対応する突部３０１が形成され、前記羽根部３７０の変形を図ることが好ましい。
【００５７】
すなわち、前記一方向弁手段３００の上部に突部３０１が突設され、このような突部３０１の高さは、キャップ１００が組み立てられたとき、前記キャップ１００の内周面に接触する高さに設計することで、前記キャップ１００が組み立てられ、前記キャップ１００の内周面が前記突部３０１に接触させることにより、前記一方向弁手段３００の羽根部３７０を変形させ、前記一方向弁手段３００の開放を誘導することもできる。
【００５８】
この場合、前記突部３０１には、所定の間隔で流路が形成され、薬液の流れを阻止することはない。
【００５９】
もちろん、このような突部３０１が、羽根部３７０から直接延設されてもよい。
【００６０】
これに対して、図１１に示すように、前記キャップ１００の内周面には、前記一方向弁手段３００に対応する突起１２３が形成され、前記羽根部３７０の変形を図ることもできる。
【００６１】
この場合、前記キャップ１００の内周面に突起１２３が形成され、この突起１２３の高さ及び位置は、キャップ１００が組み立てられたとき、一方向弁手段３００に接触する程度が好ましい。
【００６２】
これにより、前記一方向弁手段３００の円筒部３６０に下方への力が作用し、これは、羽根部３７０の下方向への変形を誘導することになり、一方向弁手段３００の開放を図ることができる。
【００６３】
このときも、前記突起１２３には、所定の間隔で流路が形成され、薬液の流れを阻止することはない。
【００６４】
また、もちろん、このような突起１２３が、羽根部３７０に接触するように直接延設され、前記突起１２３により、羽根部３７０が外壁面１２ｂから強制的に離隔しないようにすることも可能である。
【００６５】
したがって、本発明に係るフィルター注射器は、吸引流路の入口と注射流路の出口が完全に分離されており、ガラス片等の異物が薬液と一緒に吸引されることを根本的に予防することができ、基本的に、シリンダー２０に作用する圧力の方向により、一方向弁手段３００が自然に開閉されてもよく、別途の突部３０１や突起１２３を形成して、一方向弁手段３００の開閉がさらに円滑に行われ得るものである。 
【００６６】
これとともに、ろ過手段２００の断面積を所望の広さに大きく拡張させることができ、極めて微細な異物をろ過させるためのろ過手段２００が適用されても、ユーザが小さな力で容易に薬液を吸引し注射することができるという大きな利点を有する。
【００６７】
特に、キャップ１００を組み立てた状態で、薬液を吸引し、キャップ１００を分離させるだけで、薬液を注射することができ、ユーザの使い勝手が大いに向上するという利点を有するようになる。
【００６８】
上述した実施例は、本発明の技術的思想を具体的に説明するための一例であり、本発明の範囲は、上記した図面や実施例に限定されるものではない。
【符号の説明】
【００６９】
１０    注射針
１１    針
１２    ハブ
１２ａ  内壁面
１２ｂ  外壁面
１２ｃ  底面
１２ｄ  環状空間
１２ｅ  通孔
１３    接着材料
２０    シリンダー
３０    プランジャー
１００  キャップ
１１０  吸引針
１２０  キャップハブ
１２３  突起
２００  ろ過手段
３００  一方向弁手段
３０１  突部
３６０  円筒部
３７０  羽根部
４００  開閉手段
４１０  気密空間
４２０  フランジ
【図１】
2019509134.tif 000003
【図２】
2019509134.tif 000004
【図３】
2019509134.tif 000005
【図４】
2019509134.tif 000006
【図５】
2019509134.tif 000007
【図６】
2019509134.tif 000008
【図７】
2019509134.tif 000009
【図８】
2019509134.tif 000010
【図９】
2019509134.tif 000011
【図１０】
2019509134.tif 000012
【図１１】
2019509134.tif 000013
【国際調査報告】
2019509134.tif 000014
2019509134.tif 000015
2019509134.tif 000016
2019509134.tif 000017